(57)【要約】【課題】  出力先を選択する操作を容易にする。【解決手段】  画像形成装置は、所定の範囲に存在する出力装置と通信する無線通信部（Ｓ０４）と、無線通信部が無線通信可能な出力装置が存在する場合（Ｓ０４でＹＥＳ）、該出力装置に関する装置能力情報を取得する装置能力情報取得部（Ｓ０７）と、原稿を読み取って画像データを出力する原稿読取部（Ｓ０２）と、画像データの画像を記録媒体に形成する画像形成部（Ｓ１４）と、取得された装置能力情報に基づいて、出力装置が出力可能な出力形態を決定する出力形態決定部と、決定された出力形態および画像形成部により画像形成する出力形態を選択可能に表示する出力形態選択部（Ｓ０９）と、選択可能に表示された出力形態のうちからユーザにより選択された出力形態で、画像データを出力する出力部（Ｓ１３）と、を備える。【選択図】        図６
2012199625.tif 000002
【特許請求の範囲】
【請求項１】
所定の範囲に存在する出力装置と通信する無線通信手段と、
前記無線通信手段が無線通信可能な出力装置が存在する場合、該出力装置に関する装置能力情報を取得する装置能力情報取得手段と、
原稿を読み取って画像データを出力する原稿読取手段と、
前記画像データの画像を記録媒体に形成する画像形成手段と、
前記取得された装置能力情報に基づいて、前記出力装置が出力可能な出力形態を決定する出力形態決定手段と、
前記決定された出力形態および前記画像形成手段により画像形成する出力形態を選択可能に表示する出力形態選択手段と、
前記選択可能に表示された出力形態のうちからユーザにより選択された出力形態で、前記画像データを出力する出力手段と、を備えた画像形成装置。
【請求項２】
前記出力形態選択手段は、前記取得された装置能力情報に基づいて、前記決定された出力形態で出力するために前記出力装置により消費される第１消費電力を算出する第１消費電力算出手段と、
前記決定された出力形態で出力するために自装置で消費される第２消費電力を算出する第２消費電力算出手段と、
前記第１消費電力と前記第２消費電力とを表示する消費電力表示手段と、を含む請求項１に記載の画像形成装置。
【請求項３】
前記第１消費電力算出手段は、前記画像データを解析し、前記画像データを出力する時間を予測する出力時間予測手段を含む、請求項２に記載の画像形成装置。
【請求項４】
前記出力時間予測手段は、前記出力形態が画像の場合、前記取得された装置能力情報に含まれる表示可能サイズと、前記画像データの表示サイズとの比率に基づいて、前記画像データを出力する時間を予測する、請求項３に記載の画像形成装置。
【請求項５】
前記出力時間予測手段は、前記出力形態が画像であって、前記画像データが文字を含む場合、前記画像データに含まれる文字のサイズに応じて、前記画像データの表示サイズを変更する表示サイズ変更手段を、含む請求項４に記載の画像形成装置。
【請求項６】
前記出力時間予測手段は、前記出力形態が音声の場合、前記画像データに含まれる文字数または単語数をカウントするカウント手段を含み、
前記カウントされた文字数または単語数に基づいて、前記画像データを出力する時間を予測する、請求項３に記載の画像形成装置。
【請求項７】
前記原稿読取手段により出力される画像データを前記出力形態選択手段により選択された出力形態に適したフォーマットに変換するフォーマット変換手段と、をさらに備え
前記第２消費電力算出手段は、前記画像データを前記決定されたフォーマットに変換するために消費される電力を算出する、請求項１〜６のいずれかに記載の画像形成装置。
【請求項８】
画像形成装置で実行される画像処理方法であって、
前記画像形成装置は、所定の範囲に存在する出力装置と通信する無線通信手段と、
原稿を読み取って画像データを出力する原稿読取手段と、
前記画像データの画像を記録媒体に形成する画像形成手段と、を備え、
前記無線通信手段が無線通信可能な出力装置が存在する場合、該出力装置に関する装置能力情報を取得するステップと、
前記取得された装置能力情報に基づいて、前記出力装置が出力可能な出力形態を決定するステップと、
前記決定された出力形態および前記画像形成手段により画像形成する出力形態を選択可能に表示するステップと、
前記選択可能に表示された出力形態のうちからユーザにより選択された出力形態で、前記画像データを出力するステップと、を含む画像データ出力方法。
【請求項９】
画像形成装置を制御するコンピュータで実行される画像処理方法であって、
前記画像形成装置は、所定の範囲に存在する出力装置と通信する無線通信手段と、
原稿を読み取って画像データを出力する原稿読取手段と、
前記画像データの画像を記録媒体に形成する画像形成手段と、を備え、
前記無線通信手段が無線通信可能な出力装置が存在する場合、該出力装置に関する装置能力情報を取得するステップと、
前記取得された装置能力情報に基づいて、前記出力装置が出力可能な出力形態を決定するステップと、
前記決定された出力形態および前記画像形成手段により画像形成する出力形態を選択可能に表示するステップと、
前記選択可能に表示された出力形態のうちからユーザにより選択された出力形態で、前記画像データを出力するステップと、を前記コンピュータに実行させる画像データ出力プログラム。
【発明の詳細な説明】
【技術分野】
【０００１】
この発明は、画像形成装置、画像データ出力方法および画像データ出力プログラムに関し、特に、携帯電話機等の携帯情報装置と無線通信可能な画像形成装置、その画像形成装置で実行される画像データ出力方法および画像データ出力プログラムに関する。
【背景技術】
【０００２】
原稿を読み取って得られる画像データを用紙に形成する複写機能を備えた複合機は、外部メモリが接続可能なものがある。この複合機では、原稿を読み取って得られる画像データを外部メモリに記憶することが可能である。
【０００３】
例えば、特開平８−２２３３４５号公報には、外部メモリが接続されている場合に、それに記憶されているデータの画像フォーマットを識別し、原稿画像をスキャンして得られる画像データを、識別された画像フォーマットに変換して記憶する技術が記載されている。また、特開２００９−９４１９号公報には、外部メモリに、データを記憶させることができない場合に、外部メモリに予め記憶された転送先情報が示す転送先にデータを転送する技術が記載されている。
【０００４】
原稿を読み取って得られる画像データを、用紙に画像形成するか、あるいは、外部メモリに記憶するかを、原稿をスキャンする前の段階で、決定しなければならない。原稿をスキャン前に出力先を設定する操作は、煩雑であるといった問題がある。このため、原稿をセットしてスタートボタンを押すことにより、用紙に画像が形成されてしまうことが多い。
【特許文献１】特開平８−２２３３４５号公報
【特許文献２】特開２００９−９４１９号公報
【発明の概要】
【発明が解決しようとする課題】
【０００５】
この発明は、上述した問題点を解決するためになされたもので、この発明の目的の１つは、出力先を選択する操作を容易にした画像形成装置を提供することである。
【０００６】
この発明の他の目的は、出力先を選択する操作を容易にした画像データ出力方法を提供することである。
【０００７】
この発明のさらに他の目的は、出力先を選択する操作を容易にした画像データ出力プログラムを提供することである。
【課題を解決するための手段】
【０００８】
上述した目的を達成するためにこの発明のある局面によれば、画像形成装置は、所定の範囲に存在する出力装置と通信する無線通信手段と、無線通信手段が無線通信可能な出力装置が存在する場合、該出力装置に関する装置能力情報を取得する装置能力情報取得手段と、原稿を読み取って画像データを出力する原稿読取手段と、画像データの画像を記録媒体に形成する画像形成手段と、取得された装置能力情報に基づいて、出力装置が出力可能な出力形態を決定する出力形態決定手段と、決定された出力形態および画像形成手段により画像形成する出力形態を選択可能に表示する出力形態選択手段と、選択可能に表示された出力形態のうちからユーザにより選択された出力形態で、画像データを出力する出力手段と、を備える。
【０００９】
この局面に従えば、所定の範囲に存在する出力装置が存在する場合、該出力装置に関する装置能力情報が取得され、装置能力情報に基づいて、出力装置が出力可能な出力形態が決定され、決定された出力形態および画像形成する出力形態が選択可能に表示され、ユーザにより選択された出力形態で、画像データが出力される。このため、原稿を読み取った画像データの出力先を、原稿を読み取った後で選択することができる。その結果、出力先を選択する操作を容易にした画像形成装置を提供することができる。
【００１０】
好ましくは、出力形態選択手段は、取得された装置能力情報に基づいて、決定された出力形態で出力するために出力装置により消費される第１消費電力を算出する第１消費電力算出手段と、決定された出力形態で出力するために自装置で消費される第２消費電力を算出する第２消費電力算出手段と、第１消費電力と第２消費電力とを表示する消費電力表示手段と、を含む。
【００１１】
この局面に従えば、装置能力情報に基づいて、出力装置により消費される第１消費電力と、自装置で消費される第２消費電力とが算出され、表示される。このため、ユーザは、消費電力を比較して出力先を決定することができる。
【００１２】
好ましくは、第１消費電力算出手段は、画像データを解析し、画像データを出力する時間を予測する出力時間予測手段を含む。
【００１３】
この局面に従えば、画像データを出力する時間が予測され、第１消費電力が算出されるので、第１消費電力を容易に算出することができる。
【００１４】
好ましくは、出力時間予測手段は、出力形態が画像の場合、取得された装置能力情報に含まれる表示可能サイズと、画像データの表示サイズとの比率に基づいて、画像データを出力する時間を予測する。
【００１５】
この局面に従えば、出力形態が画像の場合、装置能力情報に含まれる表示可能サイズと画像データの表示サイズとの比率に基づいて、画像データを出力する時間が予測される。このため、第１消費電力を容易に算出することができる。
【００１６】
好ましくは、出力時間予測手段は、出力形態が画像であって、画像データが文字を含む場合、画像データに含まれる文字のサイズに応じて、画像データの表示サイズを変更する表示サイズ変更手段を、含む。
【００１７】
この局面に従えば、出力形態が画像であって、画像データが文字を含む場合、画像データに含まれる文字のサイズに応じて、画像データの表示サイズが変更されるので、文字を認識可能なサイズで表示されるサイズに基づいて画像データを出力する時間を予測することができ、実際に表示される時間に近い時間を予測することができる。
【００１８】
好ましくは、出力時間予測手段は、出力形態が音声の場合、画像データに含まれる文字数または単語数をカウントするカウント手段を含み、カウントされた文字数または単語数に基づいて、画像データを出力する時間を予測する。
【００１９】
この局面に従えば、出力形態が音声の場合、画像データに含まれる文字数または単語数に基づいて、画像データを出力する時間が予測される。このため、音声を出力する時間を容易に予測することができる。
【００２０】
好ましくは、原稿読取手段により出力される画像データを出力形態選択手段により選択された出力形態に適したフォーマットに変換するフォーマット変換手段と、をさらに備え
第２消費電力算出手段は、画像データを決定されたフォーマットに変換するために消費される電力を算出する。
【００２１】
この発明の他の局面によれば、画像データ出力方法は、画像形成装置で実行される画像処理方法であって、画像形成装置は、所定の範囲に存在する出力装置と通信する無線通信手段と、原稿を読み取って画像データを出力する原稿読取手段と、画像データの画像を記録媒体に形成する画像形成手段と、を備え、無線通信手段が無線通信可能な出力装置が存在する場合、該出力装置に関する装置能力情報を取得するステップと、取得された装置能力情報に基づいて、出力装置が出力可能な出力形態を決定するステップと、決定された出力形態および画像形成手段により画像形成する出力形態を選択可能に表示するステップと、選択可能に表示された出力形態のうちからユーザにより選択された出力形態で、画像データを出力するステップと、を含む。
【００２２】
この局面に従えば、画像データの出力先を、原稿を読み取った後で選択することができるので、出力先を選択する操作を容易にした画像データ出力方法を提供することができる。
【００２３】
この発明のさらに他の局面によれば、画像データ出力プログラムは、画像形成装置を制御するコンピュータで実行される画像処理方法であって、画像形成装置は、所定の範囲に存在する出力装置と通信する無線通信手段と、原稿を読み取って画像データを出力する原稿読取手段と、画像データの画像を記録媒体に形成する画像形成手段と、を備え、無線通信手段が無線通信可能な出力装置が存在する場合、該出力装置に関する装置能力情報を取得するステップと、取得された装置能力情報に基づいて、出力装置が出力可能な出力形態を決定するステップと、決定された出力形態および画像形成手段により画像形成する出力形態を選択可能に表示するステップと、選択可能に表示された出力形態のうちからユーザにより選択された出力形態で、画像データを出力するステップと、をコンピュータに実行させる。
【００２４】
この局面に従えば、画像データの出力先を、原稿を読み取った後で選択することができるので、出力先を選択する操作を容易にした画像データ出力プログラムを提供することができる。
【図面の簡単な説明】
【００２５】
【図１】本発明の実施の形態の１つにおける画像形成システムの一例を示す図である。
【図２】ＭＦＰのハードウエア構成の一例を示すブロック図である。
【図３】ＭＦＰが備えるＣＰＵの機能の概要の一例を示すブロック図である。
【図４】第１消費電力算出部の詳細な構成の一例を示す図である。
【図５】選択画面の一例を示す図である。
【図６】選択出力処理の流れの一例を示すフローチャートである。
【図７】選択画面表示処理の流れの一例を示すフローチャートである。
【図８】第１消費電力算出処理の流れの一例を示すフローチャートである。
【図９】第２消費電力算出処理の流れの一例を示すフローチャートである。
【図１０】フォーマット変換処理の流れの一例を示すフローチャートである。
【発明を実施するための形態】
【００２６】
以下、本発明の実施の形態について図面を参照して説明する。以下の説明では同一の部品には同一の符号を付してある。それらの名称および機能も同じである。したがってそれらについての詳細な説明は繰返さない。
【００２７】
図１は、本発明の実施の形態の１つにおける画像形成システムの一例を示す図である。図１を参照して、画像形成システム１は、ＭＦＰ（Ｍｕｌｔｉｆｕｎｃｔｉｏｎ  Ｐｅｒｉｐｈｅｒａｌ）１００と、ＰＤＡ（Ｐｅｒｓｏｎａｌ  Ｄｉｇｉｔａｌ  Ａｓｓｉｓｔａｎｔ）３０１と、携帯電話機３０３と、を含む。携帯電話機３０３は、スマートフォンを含む。
【００２８】
ＭＦＰ１００は、画像形成装置の一例であり、スキャナ機能、プリンタ機能、コピー機能、ファクシミリ機能等の複数の機能を備える。ＭＦＰ１００は、ＰＤＡ３０１または携帯電話機３０３とＢｌｕｅｔｏｏｔｈ（登録商標）等の近距離無線通信によって接続され、ＰＤＡ３０１または携帯電話機３０３と通信可能である。
【００２９】
図２は、ＭＦＰのハードウエア構成の一例を示すブロック図である。図２を参照して、ＭＦＰ１００は、メイン回路１０１と、ＡＤＦ１０と、原稿読取部２０と、画像形成部３０と、給紙部４０と、後処理部５０と、操作パネル１３と、を含む。
【００３０】
ＡＤＦ１０は、原稿給紙トレイ上にセットされた複数枚の原稿を１枚ずつ自動的に原稿読取部２０のプラテンガラス上に設定された所定の原稿読取位置まで搬送し、原稿読取部２０により原稿画像が読み取られた原稿を原稿排紙トレイ上に排出する。
【００３１】
原稿読取部２０は、ＡＤＦ１０のよって原稿読取位置に搬送されてきた原稿、または、原稿読取部２０の原稿読み取り面にユーザにより載置された原稿を、光学的に読み取る。原稿読取部２０は、原稿に光を照射する光源と、原稿で反射した光を受光する光電変換素子とを含み、原稿のサイズに応じた原稿画像を走査する。光電変換素子は、受光した光を電気信号である画像データに変換して、メイン回路１０１が備えるＨＤＤ１１６に記憶する、または画像形成部３０に出力する。
【００３２】
画像形成部３０は、周知の電子写真方式により画像を形成するものであって、原稿読取部２０から入力される画像データにシェーディング補正などの各種のデータ処理を施し、データ処理後の画像データに基づいて、給紙部４０により搬送される用紙に画像を形成する。給紙部４０は、給紙トレイに収納された用紙を画像形成部３０に搬送する。
【００３３】
後処理部５０は、画像が形成された用紙を排紙する。後処理部５０は、複数の排紙トレイを有し、ソート部、パンチ穴加工部、ステープル加工部を備えている。ソート部は、画像が形成された複数の用紙を複数の排紙トレイにソートして出力する。パンチ穴加工部は、用紙にパンチ穴を開ける。ステープル加工部は、画像が形成された複数の用紙をまとめるためにステープル加工する。
【００３４】
メイン回路１０１は、ＣＰＵ１１１と、通信インターフェース（Ｉ／Ｆ）部１１２と、ＲＯＭ（Ｒｅａｄ  Ｏｎｌｙ  Ｍｅｍｏｒｙ）１１３と、ＲＡＭ（Ｒａｎｄｏｍ  Ａｃｃｅｓｓ  Ｍｅｍｏｒｙ）１１４と、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）１１５と、大容量記憶装置としてのハードディスクドライブ（ＨＤＤ）１１６と、ファクシミリ部１１７と、ネットワークＩ／Ｆ１１８と、無線通信部１１９と、ＣＤ−ＲＯＭ（Ｃｏｍｐａｃｔ  Ｄｉｓｋ  Ｒｅａｄ  Ｏｎｌｙ  Ｍｅｍｏｒｙ）１２０Ａが装着される外部記憶装置１２０と、を含む。ＣＰＵ１１１は、ＡＤＦ１０、原稿読取部２０、画像形成部３０、給紙部４０、後処理部５０、操作パネル１３と接続され、ＭＦＰ１００の全体を制御する。
【００３５】
ＲＯＭ１１３は、ＣＰＵ１１１が実行するプログラム、およびそのプログラムを実行するために必要なデータを記憶する。ＲＡＭ１１４は、ＣＰＵ１１１がプログラムを実行する際の作業領域として用いられる。
【００３６】
通信Ｉ／Ｆ部１１２は、ＭＦＰ１００を他の装置とシリアル通信ケーブルで接続するためのインターフェースである。なお、接続形態は、有線であっても無線であってもよい。
【００３７】
ファクシミリ部１１７は、公衆交換電話網（ＰＳＴＮ）に接続され、ＰＳＴＮにファクシミリデータを送信する、またはＰＳＴＮからファクシミリデータを受信する。ファクシミリ部１１７は、受信したファクシミリデータを、ＨＤＤ１１６に記憶する、または画像形成部３０に出力する。画像形成部３０は、ファクシミリ部１１７により受信されたファクシミリデータの画像を用紙に形成する。また、ファクシミリ部１１７は、ＨＤＤ１１６に記憶されたデータをファクシミリデータに変換して、ＰＳＴＮに接続されたファクシミリ装置に送信する。
【００３８】
ネットワークＩ／Ｆ１１８は、ＭＦＰ１００をネットワークに接続するためのインターフェースである。ＣＰＵ１１１は、ネットワークＩ／Ｆ１１８を介してネットワークに接続されたパーソナルコンピュータと通信可能である。
【００３９】
無線通信部１１９は、Ｂｌｕｅｔｏｏｔｈ（登録商標）等の近距離無線通信する。無線通信部１１９は、通信可能な距離が制限されており、近距離の無線通信が可能である。このため、無線通信部１１９は、ＭＦＰ１００から所定の距離内に存在する装置と通信が可能である。無線通信部１１９は、所定の距離内にＰＤＡ３０１または携帯電話機３０３が存在すれば、ＰＤＡ３０１または携帯電話機３０３と無線通信する。無線通信部１１９は、ＰＤＡ３０１または携帯電話機３０３と通信が可能になると、ＰＤＡ３０１または携帯電話機３０３と通信し、ＣＰＵ１１１にＰＤＡ３０１または携帯電話機３０３の装置識別情報を出力する。
【００４０】
外部記憶装置１２０は、ＣＤ−ＲＯＭ１２０Ａが装着される。ＣＰＵ１１１は、外部記憶装置１２０を介してＣＤ−ＲＯＭ１２０Ａにアクセス可能であり、ＣＤ−ＲＯＭ１２０Ａに記憶されたプログラムをＲＡＭ１１４にロードして実行可能である。なお、ＣＰＵ１１１が実行するプログラムは、ＣＤ−ＲＯＭ１２０Ａに記憶されたプログラムに限られず、他の記憶媒体に記憶されたプログラムでもよく、ＨＤＤ１１６に記憶されたプログラムであってもよく、さらに、ネットワークＩ／Ｆ１１８を介してネットワークに接続された他のコンピュータによりＨＤＤ１１６に書き込みされたプログラムであってもよい。
【００４１】
なお、プログラムを記憶する記憶媒体としては、ＣＤ−ＲＯＭ１２０Ａに限られず、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭなどの半導体メモリでもよい。この場合、外部記憶装置１２０は、ＵＳＢ（登録商標）規格でシリアル通信するシリアル通信回路であってもよい。この場合に、外部記憶装置１２０に装着される他の記録媒体の具体例としては、上記半導体メモリを内蔵したＵＳＢ（登録商標）メモリおよび外付けのＨＤＤデバイスである。
【００４２】
ここでいうプログラムは、ＣＰＵ１１１が直接実行可能なプログラムだけでなく、ソースプログラム、圧縮処理されたプログラム、暗号化されたプログラム等を含む。
【００４３】
操作パネル１３は、ＭＦＰ１００の上面に設けられ、表示部１０３と、操作部１０５とを含む。表示部１０３は、液晶表示装置、有機ＥＬＤ（Ｅｌｅｃｔｒｏｌｕｍｉｎｅｓｃｅｎｃｅ  Ｄｉｓｐｌａｙ）等の表示装置であり、ユーザに対する指示メニューや取得した表示データに関する情報等を表示する。操作部１０５は、ユーザの操作を受け付け、受け付けられた操作をＣＰＵ１１１に出力する。操作部１０５は、表示部１０３の上に重畳して配置されたタッチパネルを含む。タッチパネルは、透明な部材からなり、表示部１０３に重畳して配置される。タッチパネルは、ユーザがタッチパネルを指で触れると、触れられた位置を指示位置として検出し、ＣＰＵ１１１に出力する。
【００４４】
図３は、ＭＦＰが備えるＣＰＵの機能の概要の一例を示すブロック図である。図３に示すＭＦＰ１００が備えるＣＰＵ１１１の機能は、ＣＰＵ１１１がＲＯＭ１１３、ＥＥＰＲＯＭ１１５、ＨＤＤ１１６またはＣＤ−ＲＯＭ１２０Ａに記憶された画像データ出力プログラムを実行することによって、ＣＰＵ１１１により実現される。図３を参照して、ＭＦＰ１００が備えるＣＰＵ１１１は、所定の範囲内に存在する出力装置を検出する出力装置検出部５１と、検出された出力装置から装置能力情報を取得する装置能力取得部５３と、画像データを取得する画像データ取得部５９と、装置能力情報に基づいて、画像データを出力可能な出力形態を決定する出力形態決定部５５と、決定された出力形態および画像形成する出力形態を選択可能に表示する出力形態選択部５７と、画像データのフォーマットを変換するフォーマット変換部６１と、フォーマット変換された画像データをユーザにより選択された出力形態で出力する出力部６３と、を含む。
【００４５】
出力装置検出部５１は、無線通信部１１９を制御し、所定の範囲内に存在する出力装置を検出する。出力装置は、ここでは、ＰＤＡ３０１および携帯電話機３０３を含む。無線通信部１１９は、ＰＤＡ３０１および携帯電話機３０３のいずれかと通信可能になると、通信可能となった装置の装置識別情報を出力する。出力装置検出部５１は、無線通信部１１９が出力する装置識別情報を取得する。出力装置検出部５１は、装置識別情報を取得すると、装置識別情報で特定される装置を所定の範囲内に存在する出力装置として検出する。出力装置検出部５１は、出力装置を検出すると、検出された出力装置の装置識別情報を装置能力取得部５３に出力する。出力装置検出部５１は、所定の範囲に複数の出力装置が存在する場合には、複数の出力装置それぞれを検出する。ここでは、出力装置検出部５１が、ＰＤＡ３０１および携帯電話機３０３それぞれを出力装置として検出した場合を例に、説明する。
【００４６】
装置能力取得部５３は、出力装置検出部５１から装置識別情報が入力されると、装置識別情報で特定される出力装置、ここではＰＤＡ３０１および携帯電話機３０３に関する装置能力情報を取得する。装置能力取得部５３は、無線通信部１１９を制御して、ＰＤＡ３０１および携帯電話機３０３とそれぞれ通信し、ＰＤＡ３０１および携帯電話機３０３それぞれから装置能力情報を受信する。ＰＤＡ３０１および携帯電話機３０３それぞれに、ＭＦＰ１００と通信するためのアプリケーションプログラムをインストールしておくようにすればよい。
【００４７】
装置能力情報は、出力可能なデータの種類およびフォーマットと、単位時間当たりの消費電力と、データ転送速度と、基本処理時間と、データの種類が画像の場合には表示画面のサイズおよび解像度と、を少なくとも含む。データの種類は、文字、画像および音声の別を示す。単位時間当たりの消費電力は、データを出力する際の所定単位当たりの消費電力であり、データの種類が画像の場合には、１画面を所定時間表示する際の消費電力であり、データの種類が音声の場合には、所定時間の音を出力する際の消費電力である。装置能力取得部５３は、装置識別情報とデータの種類およびフォーマットとの組を出力形態選択部５７に出力し、装置識別情報と消費電力との組を出力形態選択部５７に出力する。
【００４８】
フォーマットは、文字、画像および音声それぞれに対して規格化されたファイル形式を示す。例えば、文字に対してはテキストである。画像に対してはＰＤＦ（Ｐｏｒｔａｂｌｅ  Ｄｏｃｕｍｅｎｔ  Ｆｏｒｍａｔ）、ＧＩＦ（Ｇｒａｐｈｉｃｓ  Ｉｎｔｅｒｃｈａｎｇｅ  Ｆｏｒｍａｔ）、ＴＩＦＦ（Ｔａｇｇｅｄ  Ｉｍａｇｅ  Ｆｉｌｅ  Ｆｏｒｍａｔ）、ＪＰＥＧ（Ｊｏｉｎｔ  Ｐｈｏｔｏｇｒａｐｈｉｃ  Ｅｘｐｅｒｔｓ  Ｇｒｏｕｐ）を含む。音声に対しては、ＭＰ３（ＭＰＥＧ  Ａｕｄｉｏ  Ｌａｙｅｒ  ３）、ＷＡＶ（Ｗａｖｅｆｏｒｍ）、ＷＭＡ（Ｗｉｎｄｏｗｓ（登録商標）  Ｍｅｄｉａ  Ａｕｄｉｏ）、ＲｅａｌＡｕｄｉｏ等を含む。
【００４９】
ここでは、ＰＤＡ３０１の装置識別情報を「△Ｐａｄ」とし、携帯電話機の装置識別情報を「□ｐｈｏｎｅ」とする場合を例に説明する。また、ＰＤＡ３０１の装置能力情報を、データの種類が「文字」を示すフォーマット「テキスト」と、データの種類が「画像」を示すフォーマット「ＰＤＦ」とを含み、携帯電話機３０３の装置能力情報を、データの種類が「文字」を示すフォーマット「テキスト」と、データの種類が「画像」を示すフォーマット「ＰＤＦ」と、データの種類が「音声」を示すフォーマット「ＭＰ３」とを含む場合を例に説明する。
【００５０】
出力形態決定部５５は、装置能力取得部５３から入力される装置識別情報と装置能力情報との組に基づいて、出力装置が出力可能な出力形態を決定する。出力形態は、装置識別情報と、データの種類と、フォーマットとを含む。出力形態決定部５５は、装置能力取得部５３から装置識別情報と装置能力情報との組が複数入力される場合、複数の装置識別情報ごとに、出力形態を決定する。例えば、装置識別情報「△ｐａｄ」のＰＤＡ３０１に対しては、装置能力情報が「テキスト」と「ＰＤＦ」とを含むので、出力形態として、装置識別情報「△ｐａｄ」、データの種類「文字」およびフォーマット「テキスト」とする第１の出力形態と、装置識別情報「△ｐａｄ」、データの種類「画像」およびフォーマット「ＰＤＦ」とする第２の出力形態と、を決定する。また、装置識別情報「□ｐｈｏｎｅ」の携帯電話機３０３に対しては、装置能力情報が、「テキスト」と「ＰＤＦ」と「ＭＰ３」とを含むので、出力形態として、装置識別情報「□ｐｈｏｎｅ」、データの種類「文字」およびフォーマット「テキスト」とする第３の出力形態と、装置識別情報「□ｐｈｏｎｅ」、データの種類「画像」およびフォーマット「ＰＤＦ」とする第４の出力形態と、装置識別情報「□ｐｈｏｎｅ」、データの種類「音声」およびフォーマット「ＭＰ３」とする第５の出力形態と、を決定する。出力形態決定部５５は、決定した出力形態を、出力形態選択部５７に出力する。ここでは、第１〜第５の出力形態を出力形態選択部５７に出力する。
【００５１】
画像データ取得部５９は、原稿読取部２０を制御し、原稿読取部２０が原稿を読み取って出力する画像データを取得する。画像データ取得部５９は、取得された画像データを出力形態選択部５７およびフォーマット変換部６１に出力する。
【００５２】
出力形態選択部５７は、出力形態決定部５５から入力される第１〜第５の出力形態に、画像データの画像を画像形成部３０により用紙に形成する第６の出力形態を追加し、第１〜第６の出力形態をユーザが選択可能に表示部１０３に表示し、ユーザによる選択を受け付ける。
【００５３】
出力形態選択部５７は、第１消費電力算出部７１と、第２消費電力算出部７３と、消費電力表示部７５と、選択受付部７７と、を含む。第１消費電力算出部７１は、装置能力取得部５３から装置識別情報と装置能力情報との組が入力され、出力形態決定部５５から第１〜第５の出力形態が入力され、画像データ取得部５９から画像データが入力される。第１消費電力算出部７１は、出力形態決定部５５により決定された第１〜第５の出力形態ごとに、装置能力取得部５３から入力される装置能力情報の消費電力に基づいて、画像データ取得部５９から入力される画像データを出力するために消費する第１電力を算出する。  第１消費電力算出部７１は、出力形態ごとに、出力装置により消費される第１消費電力を算出する。具体的には、画像データを第１〜第５の出力形態で出力する場合に、出力装置で消費される電力を算出する。ここでは、画像データを第１〜第５の出力形態で出力する場合に、出力装置における出力時間を予測し、出力装置の装置能力情報に含まれる消費電力を乗算することにより、第１消費電力を算出する。
【００５４】
図４は、第１消費電力算出部の詳細な構成の一例を示す図である。図４を参照して、第１消費電力算出部７１は、サイズ変更部９３と、カウント部９５と、を含む。
【００５５】
第１消費電力算出部７１は、出力形態がデータの種類として「画像」を含む場合、出力装置が画像を表示する時間を予測する。サイズ変更部９３は、画像データが文字を含む場合、画像データの表示サイズを変更する。具体的には、サイズ変更部９３は、画像データに含まれる文字のうちサイズが最小の文字のサイズを検出する。そして、予め定められた標準サイズを最小の文字のサイズで除算した値を、倍率として決定する。決定される倍率は、出力装置において、画像データに含まれ、サイズが最小の文字が標準サイズになるまで画像データを拡大または縮小して表示されると仮定した場合の、画像データの表示サイズである。第１消費電力算出部７１は、画像データの表示サイズを、装置能力情報に含まれる表示可能サイズで除算した値を整数に切り上げた値を、切換回数に決定する。出力装置の表示可能サイズが、縮小または拡大された画像データの表示サイズより小さい場合、切換回数は２以上の値になる。第１消費電力算出部７１は、ユーザが出力装置に表示された１つの画面を閲覧する単位閲覧時間を予め定めており、単位閲覧時間に切換回数を乗算した閲覧時間を、画像データの出力時間として算出する。
【００５６】
カウント部９５は、画像データが文字を含む場合、文字数をカウントする。具体的には、カウント部９５は、画像データ中から文字が表された文字領域を抽出し、文字領域中に含まれる文字を検出し、検出された文字の数をカウントする。
【００５７】
第１消費電力算出部７１は、出力形態がデータの種類として「文字」を含む場合、出力装置が一度に表示可能な文字数に基づいて、出力装置が文字を表示する時間を予測する。第１消費電力算出部７１は、カウント部９５がカウントした文字数を、装置能力情報に含まれる表示可能文字数で除算した値を整数に切り上げた値を、切換回数に決定する。出力装置の表示可能文字数が、カウント部９５がカウントした文字数より小さい場合、切換回数は２以上の値になる。第１消費電力算出部７１は、ユーザが出力装置に表示された１つの画面を閲覧する単位閲覧時間を予め定めており、単位閲覧時間に切換回数を乗算した閲覧時間を、画像データの出力時間として算出する。
【００５８】
第１消費電力算出部７１は、出力形態がデータの種類として「音声」を含む場合、出力装置が音声を出力する時間を算出する。第１消費電力算出部７１は、１文字を再生する単位再生時間を予め定めており、カウント部９５がカウントした文字数に単位再生時間を乗算した再生時間を、画像データの出力時間として算出する。後述するように、出力形態がデータの種類として「音声」を含む場合、画像データを文字認識し、文字認識された文字を音声合成した音声データを生成する。なお、ここでは、カウント部９５が文字数をカウントするようにしたが、検出される文字が、英文字の場合には、単語数をカウントするようにしてもよい。この場合には、単位再生時間は、１単語を再生する時間となる。
【００５９】
第１消費電力算出部７１は、出力形態ごとに予測された出力時間に、出力形態により定まる出力装置の装置能力情報に含まれる単位時間当たりの消費電力を乗じた値を、第１消費電力として算出し、算出した第１消費電力を消費電力表示部７５に出力する。また、第１消費電力算出部７１は、第１消費電力算出部７１により算出された切換回数が所定のしきい値以上の出力形態については、消費電力表示部７５に、第１消費電力に加えて不適信号を出力する。
【００６０】
具体的には、第１の出力形態は、装置識別情報「△ｐａｄ」、データの種類「文字」およびフォーマット「テキスト」である。画像データに含まれる文字数を、装置識別情報「△ｐａｄ」で特定されるＰＤＡ３０１の表示可能文字数で除算した値を整数に切り上げた値が切換回数である。そして、切換回数に単位閲覧時間を乗じた値が、出力時間である。さらに、出力時間にＰＤＡ３０１の単位時間当たりの消費電力を乗じた値が第１の出力形態に対する第１消費電力である。
【００６１】
第２の出力形態は、装置識別情報「△ｐａｄ」、データの種類「画像」およびフォーマット「ＰＤＦ」である。画像データが文字を含む場合、画像データに含まれる文字のうちサイズが最小の文字のサイズを検出し、予め定められた標準サイズを最小の文字のサイズで除算した値を、倍率として決定する。例えば、２倍とすると、画像データの解像度を２倍にした画像データの表示サイズを装置識別情報「△ｐａｄ」で特定されるＰＤＡ３０１の表示可能サイズで除算した値を整数に切り上げた値が、切換回数である。そして、切換回数に単位閲覧時間を乗じた値が、出力時間である。さらに、出力時間にＰＤＡ３０１の単位時間当たりの消費電力を乗じた値が第２の出力形態に対する第１消費電力である。
【００６２】
第３の出力形態は、装置識別情報「□ｐｈｏｎｅ」、データの種類「文字」およびフォーマット「テキスト」である。第１の出力形態と同様にして、画像データに含まれる文字数を、装置識別情報「△ｐｈｏｎｅ」で特定される携帯電話機３０３の表示可能文字数で除算した値を整数に切り上げた値が切換回数である。そして、切換回数に単位閲覧時間を乗じた値が、出力時間である。さらに、出力時間に携帯電話機３０３の単位時間当たりの消費電力を乗じた値が第３の出力形態に対する第１消費電力である。
【００６３】
第４の出力形態は、装置識別情報「□ｐｈｏｎｅ」、データの種類「画像」およびフォーマット「ＰＤＦ」である。第２の出力形態と同様にして、画像データが文字を含む場合、画像データに含まれる文字のうちサイズが最小の文字のサイズを検出し、予め定められた標準サイズを最小の文字のサイズで除算した値を、倍率として決定する。例えば、２倍とすると、画像データの解像度を２倍にした画像データの表示サイズを装置識別情報「□ｐｈｏｎｅ」で特定される携帯電話機３０３の表示可能サイズで除算した値を整数に切り上げた値が、切換回数である。そして、切換回数に単位閲覧時間を乗じた値が、出力時間である。さらに、出力時間に携帯電話機３０３の単位時間当たりの消費電力を乗じた値が第４の出力形態に対する第１消費電力である。ここでは、第４の出力形態において、切換回数がしきい値を超えた場合を例に説明する。
【００６４】
第５の出力形態は、装置識別情報「□ｐｈｏｎｅ」、データの種類「音声」およびフォーマット「ＭＰ３」である。画像データに含まれる文字数に単位再生時間を乗算した再生時間が出力時間である。出力時間に装置識別情報「□ｐｈｏｎｅ」で特定される携帯電話機３０３の単位時間当たりの消費電力を乗じた値が第５の出力形態に対する第１消費電力である。
【００６５】
なお、第１消費電力算出部７１は、出力時間に単位時間当たりの消費電力を乗じた値を第１消費電力としたが、出力装置がデータを受信するために消費する電力を、第１消費電力に加算するようにしてもよい。
【００６６】
第２消費電力算出部７３は、装置能力取得部５３から装置識別情報と装置能力情報との組が入力され、出力形態決定部５５から第１〜第５の出力形態が入力され、画像データ取得部５９から画像データが入力される。第２消費電力算出部７３は、出力形態決定部５５により決定された第１〜第５の出力形態ごとに、画像データ取得部５９から入力される画像データを、第１〜第５の出力形態で定まるデータの種類およびフォーマットに変換するためにＭＦＰ１００で消費される第２消費電力を算出する。
【００６７】
具体的には、第２消費電力算出部７３は、出力形態で定まるデータの種類が「画像」の場合、画像データのフォーマットを、出力形態で定まるフォーマットに変換するために、ＭＦＰ１００で消費される電力を算出する。ここでは、画像データ取得部５９が出力する画像データのフォーマットをビットマップとしている。第２消費電力算出部７３は、所定単位のビットマップデータをそれぞれのフォーマットに変換するためのフォーマット別単位消費電力を予め記憶しておき、画像データのサイズにフォーマット別単位消費電力を乗じた値を、第２消費電力とする。
【００６８】
また、第２消費電力算出部７３は、出力形態で定まるデータの種類が「文字」の場合、画像データを光学文字読取（ＯＣＲ）処理することにより文字を認識することによって、テキストフォーマットに変換する。ＯＣＲ処理によって１文字を認識するための文字認識用単位消費電力を予め記憶しておき、画像データ中に含まれる文字数に文字認識用単位消費電力を乗じた値を、第２消費電力とする。
【００６９】
さらに、第２消費電力算出部７３は、出力形態で定まるデータの種類が「音声」の場合、画像データを光学文字読取（ＯＣＲ）処理することにより文字を認識し、認識された文字を音声合成することによって、音声データフォーマットに変換する。音声合成処理によって１文字を音声合成するための音声合成用単位消費電力を予め記憶しておき、画像データ中に含まれる文字数に文字認識用単位消費電力を乗じた値と、画像データ中に含まれる文字数に音声合成用単位消費電力を乗じた値との和を、第２消費電力とする。
【００７０】
さらに、第２消費電力算出部７３は、第６の出力形態で、画像データ取得部５９から入力される画像データを出力する場合に、ＭＦＰ１００で消費される電力を、第２消費電力として算出する。第２消費電力算出部７３は、画像データの画像を画像形成部３０で画像形成する際の単位枚数当たりの画像形成用消費電力を予め記憶しており、画像データの画像のページ数に画像形成用消費電力を乗算した値を、第２消費電力として算出する。
【００７１】
第２消費電力算出部７３は、第１〜第６の出力形態ごとに算出された第２消費電力を、消費電力表示部７５に出力する。
【００７２】
第１の出力形態は、装置識別情報「△ｐａｄ」、データの種類「文字」およびフォーマット「テキスト」である。画像データに含まれる文字数に、文字認識用単位消費電力を乗じた値が、第１の出力形態に対応する第２消費電力である。
【００７３】
第２の出力形態は、装置識別情報「△ｐａｄ」、データの種類「画像」およびフォーマット「ＰＤＦ」である。画像データのサイズに、フォーマット「ＰＤＦ」に対応するフォーマット別単位消費電力を乗じた値が、第２の出力形態に対応する第２消費電力である。
【００７４】
第３の出力形態は、装置識別情報「□ｐｈｏｎｅ」、データの種類「文字」およびフォーマット「テキスト」である。画像データに含まれる文字数に、文字認識用単位消費電力を乗じた値が、第３の出力形態に対応する第２消費電力であり、第１の出力形態に対応する第２消費電力と同じ値である。
【００７５】
第４の出力形態は、装置識別情報「□ｐｈｏｎｅ」、データの種類「画像」およびフォーマット「ＰＤＦ」である。画像データのサイズに、フォーマット「ＰＤＦ」に対応するフォーマット別単位消費電力を乗じた値が、第４の出力形態に対応する第２消費電力であり、第２の出力形態に対応する第２消費電力と同じである。
【００７６】
第５の出力形態は、装置識別情報「□ｐｈｏｎｅ」、データの種類「音声」およびフォーマット「ＭＰ３」である。画像データに含まれる文字数に文字認識用単位消費電力を乗じた値と、画像データ中に含まれる文字数に音声合成用単位消費電力を乗じた値との和が、第５の出力形態に対応する第２消費電力である。
【００７７】
消費電力表示部７５は、第１消費電力算出部７１から第１〜第５の出力形態ごとの第１消費電力が入力され、第２消費電力算出部７３から第１〜第６の出力形態ごとの第２消費電力が入力される。消費電力表示部７５は、第１〜第６の出力形態のいずれかを選択するための選択画面を生成し、表示部１０３に表示する。選択画面は、第１〜第６の出力形態を選択可能に表示する画面であり、第１〜第６の出力形態ごとに第１消費電力および第２消費電力を表示する画面である。また、消費電力表示部７５は、第１消費電力算出部７１から第１消費電力とともに不適信号が入力される出力形態、ここでは第４の出力形態については、「推奨しません」のメッセージを、フォーマットとともに表示する。
【００７８】
図５は、選択画面の一例を示す図である。図５を参照して、選択画面２０１は、「出力形態」の項目と、「消費電力（ｍＷｈ）」の項目とを含む。「出力形態」の項目は、「出力先機器」の項目と、「フォーマット」の項目を含む。「出力先機器」の項目には、装置識別情報が表示され、「フォーマット」の項目には、変換後のフォーマットが表示される。「消費電力（ｍＷｈ）」の項目は、「機器」の項目と、「ＭＦＰ」の項目と、「計」の項目とを含む。「機器」の項目には第１消費電力が表示され、「ＭＦＰ」の項目には第２消費電力が表示され、「計」の項目には第１消費電力と第２消費電力との合計が表示される。
【００７９】
図５に示す選択画面２０１においては、第１行目に、第１の出力形態の装置識別情報「△ｐａｄ」、フォーマット「テキスト」と、第１消費電力「２」、第２消費電力「１０」、計「１２」が表示され、第１の出力形態が選択された状態を、装置識別情報「△ｐａｄ」およびフォーマット「テキスト」を反転表示することで示している。
【００８０】
第２行目に、第２の出力形態の装置識別情報「△ｐａｄ」、フォーマット「ＰＤＦ」、第１消費電力「２」、第２消費電力「３０」、計「３２」が表示される。第３行目に、第３の出力形態の装置識別情報「□ｐｈｏｎｅ」、フォーマット「テキスト」、第１消費電力「６」、第２消費電力「１０」、計「１６」が表示される。
【００８１】
第４行目に、第４の出力形態の装置識別情報「□ｐｈｏｎｅ」、フォーマット「ＰＤＦ（推奨しません）」、第１消費電力「１０」、第２消費電力「３０」、計「４０」が表示される。フォーマットの項目に、「推奨しません」のメッセージを含む。画面の切換回数が所定回数以上となるからである。
【００８２】
第５行目に、第５の出力形態の装置識別情報「□ｐｈｏｎｅ」、フォーマット「ＭＰ３」、第１消費電力「１２」、第２消費電力「４０」、計「５２」が表示される。第６行目に、第６の出力形態の装置識別情報「ＭＦＰ」、フォーマット「ハードコピー（用紙）」、第２消費電力「１００」、計「１００」が表示される。第６の出力形態においては、機器でデータが出力されないため、第１消費電力は何も表示されない。
【００８３】
ユーザは、選択画面からＭＦＰおよび出力装置それぞれで消費される電力と、それらの合計の電力を知ることができ、消費電力を参考にして第１〜第６の出力形態のうちから１つを選択することができる。
【００８４】
図３に戻って、選択受付部７７は、選択画面に表示された第１〜第６の出力形態のうちから１つを選択する操作を受け付ける。選択受付部７７は、第１〜第６の出力形態のうち選択された出力形態を、フォーマット変換部６１および出力部６３に出力する。
【００８５】
フォーマット変換部６１は、画像データ取得部５９から画像データが入力され、出力形態選択部５７から出力形態が入力される。フォーマット変換部６１は、画像データ取得部５９から入力される画像データを、出力形態選択部５７から入力される出力形態で定められるフォーマットのデータに変換し、変換したデータを出力部６３に出力する。
【００８６】
第１の出力形態、第３の出力形態が選択される場合、フォーマット「テキスト」である。フォーマット変換部６１は、フォーマット「ビットマップ」の画像データを、文字認識処理することにより、フォーマット「テキスト」のデータに変換し、変換したフォーマット「テキスト」のデータを出力部６３に出力する。
【００８７】
第２の出力形態、第４の出力形態が選択される場合、フォーマット「ＰＤＦ」である。フォーマット変換部６１は、フォーマット「ビットマップ」の画像データを、フォーマット「ＰＤＦ」のデータに変換し、変換したフォーマット「ＰＤＦ」のデータを出力部６３に出力する。
【００８８】
第５の出力形態が選択される場合、フォーマット「ＭＰ３」である。フォーマット変換部６１は、フォーマット「ビットマップ」の画像データを、文字認識処理することにより、フォーマット「テキスト」のデータに変換し、変換したフォーマット「テキスト」のデータを音声合成することにより、フォーマット「ＭＰ３」のデータに変換し、変換したフォーマット「ＭＰ３」のデータを出力部６３に出力する。
【００８９】
第６の出力形態が選択される場合、フォーマット「ハードコピー（用紙）」である。フォーマット変換部６１は、フォーマット「ビットマップ」の画像データを出力部６３に出力する。
【００９０】
出力部６３は、フォーマット変換部６１から変換後のデータが入力され、出力形態選択部５７から出力形態が入力される。出力部６３は、フォーマット変換部６１から入力されるデータを、出力形態選択部５７から入力される出力形態に含まれる装置識別情報で特定される出力装置に出力する。出力部６３は、画像形成制御部７９と、データ送信部８１と、を含む。
【００９１】
画像形成制御部７９は、出力形態選択部５７から入力される出力形態に含まれる装置識別情報がＭＦＰ１００を特定する場合、画像形成部３０を制御し、フォーマット変換部６１から入力される画像データを、画像形成部３０に出力し、画像形成部３０に画像データの画像を形成させる。データ送信部８１は、出力形態選択部５７から入力される出力形態に含まれる装置識別情報がＭＦＰ１００を特定しない場合、無線通信部１１９を制御して、フォーマット変換部６１から入力されるデータを、出力形態選択部５７から入力される出力形態に含まれる装置識別情報で特定される出力装置に送信する。
【００９２】
第１の出力形態は、装置識別情報「△ｐａｄ」、フォーマット「テキスト」である。第１の出力形態が選択される場合、データ送信部８１は、フォーマット変換部６１から入力されるフォーマット「テキスト」のデータを、装置識別情報「△ｐａｄ」で特定されるＰＤＡ３０１に、無線通信部１１９を介して送信する。
【００９３】
第２の出力形態は、装置識別情報「△ｐａｄ」、フォーマット「ＰＤＦ」である。第２の出力形態が選択される場合、データ送信部８１は、フォーマット変換部６１から入力されるフォーマット「ＰＤＦ」のデータを、装置識別情報「△ｐａｄ」で特定されるＰＤＡ３０１に、無線通信部１１９を介して送信する。
【００９４】
第３の出力形態は、装置識別情報「□ｐｈｏｎｅ」、フォーマット「テキスト」である。第３の出力形態が選択される場合、データ送信部８１は、フォーマット変換部６１から入力されるフォーマット「テキスト」のデータを、装置識別情報「□ｐｈｏｎｅ」で特定される携帯電話機３０３に、無線通信部１１９を介して送信する。
【００９５】
第４の出力形態は、装置識別情報「□ｐｈｏｎｅ」、フォーマット「ＰＤＦ」である。第４の出力形態が選択される場合、データ送信部８１は、フォーマット変換部６１から入力されるフォーマット「ＰＤＦ」のデータを、装置識別情報「□ｐｈｏｎｅ」で特定される携帯電話機３０３に、無線通信部１１９を介して送信する。
【００９６】
第５の出力形態は、装置識別情報「□ｐｈｏｎｅ」、フォーマット「ＭＰ３」である。第５の出力形態が選択される場合、データ送信部８１は、フォーマット変換部６１から入力されるフォーマット「ＭＰ３」のデータを、装置識別情報「□ｐｈｏｎｅ」で特定される携帯電話機３０３に、無線通信部１１９を介して送信する。
【００９７】
第６の出力形態は、画像データの画像を画像形成部３０で用紙に形成する形態である。第６の出力形態が選択される場合、画像形成制御部７９は、フォーマット変換部６１から入力される画像データを、画像形成部３０に出力し、画像形成部３０に画像データの画像を形成させる。
【００９８】
図６は、選択出力処理の流れの一例を示すフローチャートである。選択出力処理は、ＭＦＰが備えるＣＰＵがＲＯＭ１１３、ＥＥＰＲＯＭ１１５、ＨＤＤ１１６またはＣＤ−ＲＯＭ１２０Ａに記憶された画像データ出力プログラムを実行することにより、ＣＰＵ１１１により実行される処理である。図６を参照して、ＣＰＵ１１１は、コピー指示を受け付けたか否かを判断する。ユーザが操作部１０５が備えるコピー機能を選択するボタンを押下した後、スタートキーを押下すれば、コピー指示を受け付ける。コピー指示を受け付けるまで待機状態となり（ステップＳ０１でＮＯ）、コピー指示を受け付けると（ステップＳ０１でＹＥＳ）、処理をステップＳ０２に進める。
【００９９】
ステップＳ０２においては、原稿をスキャンする。ユーザにより、ＡＤＦ１０または、原稿読取部２０の読み取り面に載置された原稿を、原稿読取部２０に読み取らせ、原稿読取部２０が原稿を読み取って出力するする画像データを取得する。
【０１００】
ステップＳ０３においては、変数ｎに「０」を設定する。変数ｎは、ユーザが携帯する出力装置の数をカウントするための変数である。ステップＳ０４においては、出力装置を検出したか否かを判断する。無線通信部１１９を制御し、無線通信部１１９が通信可能な装置が存在するか否かを判断する。無線通信部１１９は、近距離の無線通信が可能であり、無線通信が可能な範囲が予め定められている。このため、無線通信部１１９が通信可能な装置を、ＭＦＰ１００を操作するユーザが携帯する出力装置と判断する。なお、ＭＦＰ１００の近傍に、無線通信部１１９と通信可能な装置が常設されている場合、その装置を予めＭＦＰ１００に登録しておき、通信可能となったとしても出力装置として検出しないようにすればよい。１以上の出力装置を検出したならば処理をステップＳ０５に進めるが、そうでなければ処理をステップＳ１４に進める。ステップＳ１４においては、ステップＳ０２において取得された画像データを画像形成部３０に画像形成させ、処理を終了する。
【０１０１】
ステップＳ０５においては、ステップＳ０４において検出された１以上の出力装置のうちから１つを処理対象に選択する。次のステップＳ０６においては、変数ｎをインクリメントし、処理をステップＳ０７に進める。ステップＳ０７においては、ステップＳ０５において処理対象に選択された出力装置から、装置能力情報を取得する。次のステップＳ０８においては、処理対象に選択されていない出力装置が存在するか否かを判断する。未選択の出力装置が存在するならば処理をステップＳ０５に戻し、そうでなければ処理をステップＳ０９に進める。
【０１０２】
ステップＳ０９においては、選択画面表示処理を実行し、処理をステップＳ１０に進める。選択画面表示処理の詳細は後述するが、ステップＳ０４において検出された出力装置およびステップＳ０７において取得された装置能力情報に基づいて、１以上の出力形態を決定し、１以上の出力形態を選択可能な選択画面を表示する処理である。ここでは、図５に示した選択画面が表示された場合を例に説明する。
【０１０３】
ステップＳ１０においては、選択画面に表示された１以上の出力形態のうちから１つが選択されたか否かを判断する。出力形態が選択されるまで待機状態となり（ステップＳ１０でＮＯ）、出力形態が選択されると（ステップＳ１０でＹＥＳ）、処理をステップＳ１１に進める。
【０１０４】
ステップＳ１１においては、スタートボタンが押下されたか否かを判断する。スタートボタンが押下されたならば処理をステップＳ１２に進めるが、そうでなければ処理をステップＳ１０に戻す。ステップＳ１２においては、フォーマット変換処理を実行し、処理をステップＳ１３に進める。フォーマット変換処理の詳細は後述するが、ステップＳ０２において取得された画像データのフォーマットを変換する処理である。ステップＳ１３においては、ステップＳ１２においてフォーマット変換されたデータをステップＳ１０において選択された出力形態で出力する。
【０１０５】
図５に示した選択画面２０１の第１行目の第１の出力形態が選択される場合、フォーマット「ビットマップ」の画像データを、文字認識処理することにより、フォーマット「テキスト」のデータに変換し、変換したフォーマット「テキスト」のデータを、装置識別情報「△Ｐａｄ」のＰＤＡ３０１に送信する。
【０１０６】
選択画面２０１の第２行目の第２の出力形態が選択される場合、フォーマット「ビットマップ」の画像データを、フォーマット「ＰＤＦ」のデータに変換し、変換したフォーマット「ＰＤＦ」のデータを、装置識別情報「△Ｐａｄ」のＰＤＡ３０１に送信する。
【０１０７】
選択画面２０１の第３行目の第３の出力形態が選択される場合、フォーマット「ビットマップ」の画像データを、文字認識処理することにより、フォーマット「テキスト」のデータに変換し、変換したフォーマット「テキスト」のデータを、装置識別情報「□ｐｈｏｎｅ」の携帯電話機３０３に送信する。
【０１０８】
選択画面２０１の第４行目の第４の出力形態が選択される場合、フォーマット「ビットマップ」の画像データを、フォーマット「ＰＤＦ」のデータに変換し、変換したフォーマット「ＰＤＦ」のデータを、装置識別情報「□ｐｈｏｎｅ」の携帯電話機３０３に送信する。
【０１０９】
選択画面２０１の第５行目の第５の出力形態が選択される場合、フォーマット「ビットマップ」の画像データを、文字認識処理することにより、フォーマット「テキスト」のデータに変換し、変換したフォーマット「テキスト」のデータを音声合成することにより、フォーマット「ＭＰ３」のデータに変換し、変換したフォーマット「ＭＰ３」のデータを、装置識別情報「□ｐｈｏｎｅ」の携帯電話機３０３に送信する。
【０１１０】
選択画面２０１の第６行目の第６の出力形態が選択される場合、フォーマット「ビットマップ」の画像データを、画像形成部３０に出力し、画像データの画像を用紙に形成させる。
【０１１１】
図７は、選択画面表示処理の流れの一例を示すフローチャートである。選択画面表示処理は、図６に示した選択出力処理のステップＳ０９で実行される処理である。図７を参照して、ステップＳ２１において、変数ｍに「０」を設定し、変数ｋに「１」を設定することにより、それぞれを初期化する。変数ｍは、処理対象とする出力装置を特定するための変数であり、変数ｋは出力形態を特定するための変数である。
【０１１２】
次のステップＳ２２においては、変数ｍが変数ｎと等しいか否かを判断する。変数ｎは、図６に示した選択出力処理で用いられる変数であり、出力装置の数が設定される。処理対象とした出力装置の数が、検出された出力装置の数と等しい場合に、変数ｍが変数ｎと等しくなる。変数ｍが変数ｎと等しいならば処理をステップＳ３４に進めるが、そうでなければ処理をステップＳ２３に進める。
【０１１３】
ステップＳ２３においては、変数ｍをインクリメントし、処理をステップＳ２４に進める。ステップＳ２４においては、第ｍ番目の出力装置の装置能力情報を取得する。次のステップＳ２５においては、装置能力情報に基づいて、フォーマットを選択する。第ｍ番目の出力装置が複数のフォーマットのデータを出力可能な場合には、複数のフォーマットのうちから１つを選択する。
【０１１４】
ステップＳ２６においては、第ｋ番目の出力形態を決定する。第ｋ番目の出力形態は、第ｍ番目の出力装置の装置識別情報と、ステップＳ２５において選択されたフォーマットと、そのフォーマットのデータの種別と、を含む。
【０１１５】
次のステップＳ２７においては、第１消費電力計算処理を実行する。第１消費電力計算処理の詳細は後述するが、第ｋ番目の出力形態でデータを出力する場合に第ｍ番目の出力装置で消費される電力を計算する処理である。次のステップＳ２８においては、第２消費電力計算処理を実行する。第２消費電力計算処理の詳細は後述するが、第ｋ番目の出力形態でデータを出力する場合にＭＦＰ１００で消費される電力を計算する処理である。
【０１１６】
次のステップＳ２９においては、切換回数がしきい値Ｔｈ以上か否かを判断する。切換回数は、ステップＳ２７で実行される第１消費電力計算処理において、第ｍ番目の出力装置において画面を切り換える回数として、算出される回数である。切換回数がしきい値Ｔｈ以上ならば処理をステップＳ３０に進めるが、そうでなければステップＳ３０をスキップして処理をステップＳ３１に進める。ステップＳ３０においては、第ｋ番目の出力形態に対してメッセージ「推奨しません」の表示を設定し、処理をステップＳ３１に進める。第ｍ番目の出力装置において、しきい値Ｔｈ以上の回数、画面を切り換えなければデータのすべてを出力することができない場合には、操作が煩雑になるためである。
【０１１７】
ステップＳ３１においては、第ｋ番目の出力形態と消費電力とを表示部１０３に表示する。具体的には、表示部１０３に選択画面を表示するが、この選択画面に第ｋ番目の出力形態に含まれる装置識別情報と、フォーマットと、第１消費電力と、第２消費電力と、第１消費電力および第２消費電力との合計と、を表示する。また、ステップＳ３０においてメッセージの表示設定がされている場合には、「推奨しません」のメッセージを表示する。
【０１１８】
次のステップＳ３２においては、変数ｋをインクリメントし、処理をステップＳ３３に進める。ステップＳ３３においては、第ｍ番目の出力装置が出力可能なデータのフォーマットのうち、ステップＳ２５において未だ処理対象に選択されていないフォーマットが存在するか否かを判断する。そのようなフォーマットが存在するならば処理をステップＳ２５に戻し、存在しなければ処理をステップＳ２２に戻す。
【０１１９】
処理がステップＳ２２からステップＳ３４に進む場合、選択出力処理のステップＳ０４において検出されたｎ個の出力装置のすべてに対して、ステップＳ２３〜ステップＳ３３の処理が実行され、（ｋ−１）個の出力形態と、（ｋ−１）個の出力形態各々に対する第１消費電力および第２消費電力が算出される。ステップＳ３４においては、第ｋ番目の出力形態にＭＦＰによる画像形成を設定し、処理をステップＳ３５に進める。ステップＳ３５においては、ステップＳ２８と同様に、第２消費電力計算処理を実行し、処理をステップＳ３６に進める。ステップＳ３６においては、ステップＳ３１と同様に、第ｋ番目の出力形態と消費電力とを表示部１０３に表示し、処理を選択出力処理に戻す。具体的には、表示部１０３に選択画面を表示するが、この選択画面に第ｋ番目の出力形態に含まれる装置識別情報、ここではＭＦＰと、フォーマット「ハードコピー（用紙）」と、ステップＳ３５におより算出された第２消費電力とを表示する。
【０１２０】
図８は、第１消費電力算出処理の流れの一例を示すフローチャートである。第１消費電力算出処理は、図７のステップＳ２７において実行される処理である。ここで、図７を参照して、ステップＳ２７が実行される場合、その前のステップＳ２６において、第ｋ番目の出力形態が決定されている。すなわち、第１消費電力算出処理は、第ｋ番目の出力形態に基づいて、第ｋ番目の出力形態でデータを出力した場合に、第ｋ番目の出力形態に含まれる第ｍ番目の出力装置で消費される第１消費電力を算出する。
【０１２１】
図８を参照して、ＣＰＵ１１１は、第ｋ番目の出力形態で定まるデータの種類により処理を分岐させる（ステップＳ４１）。すなわち、データの種類が「画像」の場合に処理をステップＳ４２に進め、データの種類が「文字」ならば処理をステップＳ４９に進め、データの種類が「音声」ならば処理をステップＳ５３に進める。
【０１２２】
ステップＳ４２においては、画像データ中に文字が存在するか否かを判断する。画像データ中に文字が存在するならば処理をステップＳ４３に進めるが、そうでなければ処理をステップＳ４５に進める。ステップＳ４５においては、表示倍率Ｍａｇに「１」を設定し、処理をステップＳ４６に進める。ステップＳ４３においては、画像データ中に存在する文字のうちでサイズが最小の文字のサイズを抽出する。そして、ステップＳ４４において、表示倍率Ｍａｇを算出し、処理をステップＳ４６に進める。ここでは、標準文字サイズを予め記憶しておき標準文字サイズを、ステップＳ４３で抽出された最小文字サイズで除算した値を表示倍率Ｍａｇとする。
【０１２３】
ステップＳ４６においては、画像データの表示サイズＳｄを取得する。そして、第ｍ番目の出力装置の装置能力情報のうちから表示可能サイズＳｐを取得する（ステップＳ４７）。表示可能サイズＳｐは、第ｍ番目の出力装置が、１度に表示可能な最大の画像のサイズである。次のステップＳ４８においては、画像データの表示サイズＳｄに表示倍率Ｍａｇを乗じた値を表示可能サイズＳｐで除算した値を、切換回数に設定する。表示サイズＳｄに表示倍率Ｍａｇを乗じた値を表示可能サイズＳｐで除算した値が少数を含む場合は、整数に切り上げた値を切換回数に設定する。
【０１２４】
一方、ステップＳ４９においては、画像データ中に含まれる文字の数を示す文字数Ｃｎを抽出する。そして、第ｍ番目の出力装置の装置能力情報のうちから表示可能文字数Ｃｐを取得する。表示可能文字数Ｃｐは、第ｍ番目の出力装置が、１度に表示可能な文字の数の最大値である。次のステップＳ５０においては、切換回数を算出し、処理をステップＳ５２に進める。切換回数は、画像データから抽出された文字数Ｃｎを表示可能文字数Ｃｐで除算した値である。文字数Ｃｎを表示可能文字数Ｃｐで除算した値が少数を含む場合は、整数に切り上げた値を切換回数に設定する。
【０１２５】
ステップＳ５２においては、単位閲覧時間に、ステップＳ４８またはステップＳ５１において算出された切換回数を乗じた値を出力時間に設定し、処理をステップＳ５５に進める。単位閲覧時間は、１つの画面を閲覧する時間として予め定められた値である。
【０１２６】
一方、ステップＳ５３においては、画像データ中に含まれる文字の数を示す文字数Ｃｎを抽出する。そして、ステップＳ５４においては、単位再生時間に、ステップＳ５３において抽出された文字数Ｃｎを乗じた値を出力時間に設定し、処理をステップＳ５５に進める。単位再生時間は、１文字を再生する時間として予め定められた値である。
【０１２７】
ステップＳ５５においては、ステップＳ５２またはステップＳ５４において算出された出力時間に基準消費電力を乗じた値を第１消費電力とし、処理を選択画面表示処理に戻す。基準消費電力は、第ｍ番目の出力装置の装置能力情報に含まれる値であり、第ｍ番目の出力装置が単位時間当たりに消費する電力である。
【０１２８】
図９は、第２消費電力算出処理の流れの一例を示すフローチャートである。第２消費電力算出処理は、図７のステップＳ２８およびステップＳ３５において実行される処理である。ここで、図７を参照して、ステップＳ２８が実行される場合、その前のステップＳ２６において、第ｋ番目の出力形態が決定されている。すなわち、ステップＳ２８において実行される第２消費電力算出処理は、第ｋ番目の出力形態に基づいてデータを出力する場合にＭＦＰ１００において消費される第２消費電力を算出する。また、ステップＳ３５が実行される場合、その前のステップＳ３４において、第ｋ番目の出力形態に画像形成が設定される。すなわち、ステップＳ３５において実行される第２消費電力算出処理は、第ｋ番目の出力形態に画像形成が設定された場合にＭＦＰ１００において消費される第２消費電力を算出する。
【０１２９】
図９を参照して、ＣＰＵ１１１は、ステップＳ６１において、第ｋ番目の出力形態で定まるデータの種類が「画像」か否かを判断する。出力形態で定まるデータの種類が「画像」ならば処理をステップＳ６２に進め、そうでなければ処理をステップＳ６６に進める。
【０１３０】
ステップＳ６２においては、第ｋ番目の出力形態に含まれるフォーマットに対応するフォーマット別単位消費電力を取得する。フォーマット別単位消費電力は、所定単位のビットマップデータを目的のフォーマットに変換するために消費される電力として予め記憶された値である。例えば、目的のフォーマットが「ＰＤＦ」であれば、ＰＤＦ用のフォーマット別単位消費電力は、所定単位のビットマップデータをＰＤＦのフォーマットに変換するために消費される電力である。
【０１３１】
ステップＳ６３においては、画像データのサイズにステップＳ６２において取得されたフォーマット別単位消費電力を乗じた値を、第２消費電力とし、処理をステップＳ６４に進める。
【０１３２】
ステップＳ６４においては、モノクロ変換が必要か否かを判断する。第ｋ番目の出力形態に含まれる装置識別情報で特定される出力装置の装置能力情報に、モノクロの画像を出力できるが、カラーの画像を出力できないことが定義されているか否かを判断する。モノクロ変換が必要ならば処理をステップＳ６５に進めるが、そうでなければステップＳ６５をスキップして処理をステップＳ６６に進める。ステップＳ６５においては、ステップＳ６３において算出された第２消費電力を、それにモノクロ処理のために消費される電力として予め記憶されたモノクロ処理消費電力を加算した値に設定し、処理をステップＳ６６に進める。
【０１３３】
ステップＳ６６において、第ｋ番目の出力形態で定まるデータの種類が「文字」か否かを判断する。出力形態で定まるデータの種類が「文字」ならば処理をステップＳ６７に進め、そうでなければ処理をステップＳ７０に進める。
【０１３４】
ステップＳ６７においては、文字認識用単位消費電力を取得する。文字認識用単位消費電力は、１文字を認識するために消費される電力として予め記憶された値である。ステップＳ６８においては、画像データに含まれる文字の数Ｃｎを抽出する。そして、ステップＳ６９において、文字数Ｃｎに文字認識用単位消費電力を乗算した値を、第２消費電力に設定し、処理をステップＳ７０に進める。
【０１３５】
ステップＳ７０において、第ｋ番目の出力形態で定まるデータの種類が「音声」か否かを判断する。出力形態で定まるデータの種類が「音声」ならば処理をステップＳ７１に進め、そうでなければ処理をステップＳ７５に進める。
【０１３６】
ステップＳ７１においては、文字認識用単位消費電力を取得する。次のステップＳ７２においては、音声合成用単位消費電力を取得する。音声合成用単位消費電力は、１文字の音声を合成するために消費される電力として予め記憶された値である。ステップＳ７３においては、画像データに含まれる文字の数Ｃｎを抽出する。そして、文字数Ｃｎに、文字認識用単位消費電力と音声合成用単位消費電力との和を乗算した値を、第２消費電力に設定し、処理をステップＳ７５に進める。
【０１３７】
ステップＳ７５において、第ｋ番目の出力形態が画像形成が設定されているか否かを判断する。出力形態に画像形成が設定されているならば処理をステップＳ７６に進め、そうでなければ処理を選択画面表示処理に戻す。ステップＳ７６においては、画像データのページ数を取得する。そして、ページ数に画像形成用消費電力を乗算した値を、第２消費電力に設定し、処理を選択画面表示処理に戻す。画像形成用消費電力は、画像形成部３０が１ページの画像を形成するために消費される電力として、予め記憶された値である。
【０１３８】
図１０は、フォーマット変換処理の流れの一例を示すフローチャートである。フォーマット変換処理は、図６のステップＳ１２において実行される処理である。図６を参照して、ステップＳ１２が実行される前のステップＳ１０において出力形態が選択されている。したがって、図１０に示すフォーマット変換処理は、ユーザにより選択された出力形態にしたがって、画像データを変換する処理である。図１０を参照して、ステップＳ８１においては、フォーマットを取得する。ユーザにより選択された出力形態に含まれるフォーマットを取得する。
【０１３９】
次のステップＳ８２においては、ユーザにより選択された出力形態に含まれるデータの種類が「画像」か否かを判断する。データの種類が「画像」ならば処理をステップＳ８３に進めるが、そうでなければ処理をステップＳ８６に進める。ステップＳ８３においては、モノクロ変換が必要か否かを判断する。ユーザにより選択された出力形態に含まれる装置識別情報の出力装置の装置能力情報において、カラーの画像を出力できないことが定義されているか否かで判断する。モノクロ変換が必要ならば処理をステップＳ８４に進めるが、そうでなければ処理をステップＳ８５に進める。
【０１４０】
ステップＳ８４においては、画像データをモノクロの画像データに変換する。次のステップＳ８５においては、画像データを、ステップＳ８１において取得されたフォーマットのデータに変換し、処理をステップＳ８６に進める。
【０１４１】
ステップＳ８６においては、ユーザにより選択された出力形態に含まれるデータの種類が「文字」か否かを判断する。データの種類が「文字」ならば処理をステップＳ８７に進めるが、そうでなければ処理をステップＳ８８に進める。ステップＳ８７においては、画像データを文字認識し、フォーマットが「テキスト」のデータを生成し、処理をステップＳ８８に進める。
【０１４２】
ステップＳ８８においては、ユーザにより選択された出力形態に含まれるデータの種類が「音声」か否かを判断する。データの種類が「音声」ならば処理をステップＳ８９に進めるが、そうでなければ処理を選択出力処理に戻す。ステップＳ８９においては、画像データを文字認識し、フォーマットが「テキスト」のデータを生成する。そして、フォーマットが「テキスト」のデータを音声合成して、ステップＳ８１において取得されたフォーマットの音声データを生成し、処理を選択出力処理に戻す。
【０１４３】
以上説明したように、本実施の形態における画像形成システム１において、ＭＦＰ１００は、無線通信部１１９が通信可能な範囲に出力装置としてＰＤＡ３０１および携帯電話機３０３が存在する場合、ＰＤＡ３０１および携帯電話機３０３各々に関する装置能力情報を取得し、装置能力情報に基づいて、ＰＤＡ３０１および携帯電話機３０３各々が出力可能な出力形態を決定し、決定された出力形態およびＭＦＰ１００が画像形成する出力形態を選択可能に列挙した選択画面を表示し、ユーザにより選択された出力形態で、画像データを出力する。このため、原稿を読み取った画像データの出力先を、原稿を読み取った後で選択することができる。
【０１４４】
また、装置能力情報に基づいて、出力装置により消費される第１消費電力と、ＭＦＰ１００で消費される第２消費電力とが算出され、選択画面に表示する。このため、ユーザは、消費電力を比較して出力先を決定することができる。
【０１４５】
また、第１消費電力を、画像データを解析し、画像データを出力する時間を予測して、算出するので、第１消費電力を容易に算出することができる。
【０１４６】
さらに、出力形態が画像の場合、装置能力情報に含まれ、出力装置が表示可能なサイズと、画像データの表示サイズとの比率に基づいて、画像データを出力する時間を予測するので、第１消費電力を容易に算出することができる。
【０１４７】
さらに、出力形態が画像であって、画像データが文字を含む場合、画像データに含まれる文字のサイズに応じて、画像データの表示サイズを変更する。文字を認識可能なサイズで画像データが表示されるサイズに基づいて画像データを出力する時間を予測するので、実際に出力装置で表示される時間に近い時間を予測することができる。
【０１４８】
さらに、出力形態が音声の場合、画像データに含まれる文字数または単語数に基づいて、画像データを出力する再生時間を予測するので、音声を出力する時間を容易に予測することができる。
【０１４９】
さらに、原稿を読み取って得られる画像データを、ユーザにより選択された出力形態に適したフォーマットに変換する場合、画像データを決定されたフォーマットに変換するために消費される電力を、自装置で消費される第２消費電力として算出する。このため、第２消費電力を予測する精度を高めることができる。
【０１５０】
なお、上述した実施の形態においては、画像形成装置の一例としてＭＦＰ１００を説明したが、図６〜図１０に示した処理をＭＦＰ１００に実行させる画像データ出力方法、および画像データ出力方法を、ＭＦＰ１００を制御するＣＰＵ１１１に実行させる画像データ出力プログラムとして発明を捉えることができるのは言うまでもない。
【０１５１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１５２】
１  画像形成システム、１０  ＡＤＦ、１３  操作パネル、２０  原稿読取部、３０  画像形成部、４０  給紙部、５０  後処理部、５１  出力装置検出部、５３  装置能力取得部、５５  出力形態決定部、５７  出力形態選択部、５９  画像データ取得部、６１  フォーマット変換部、６３  出力部、７１  第１消費電力算出部、７３  第２消費電力算出部、７５  消費電力表示部、７７  選択受付部、７９  画像形成制御部、８１  データ送信部、９３  サイズ変更部、９５  カウント部、１００  ＭＦＰ、１０１  メイン回路、１０３  表示部、１０５  操作部、１００  ＭＦＰ、１１１  ＣＰＵ、１１２  通信Ｉ／Ｆ部、１１３  ＲＯＭ、１１４  ＲＡＭ、１１５  ＥＥＰＲＯＭ、１１６  ＨＤＤ、１１７  ファクシミリ部、１１８  ネットワークＩ／Ｆ部、１１９  無線通信部、１２０  外部記憶装置、１２０Ａ  ＣＤ−ＲＯＭ、１１２  無線通信部、１１７  ファクシミリ部、１１９  無線通信部、１２０  外部記憶装置、２０１  選択画面、３０１  ＰＤＡ、３０３  携帯電話機。
【図１】
2012199625.tif 000003
【図２】
2012199625.tif 000004
【図３】
2012199625.tif 000005
【図４】
2012199625.tif 000006
【図５】
2012199625.tif 000007
【図６】
2012199625.tif 000008
【図７】
2012199625.tif 000009
【図８】
2012199625.tif 000010
【図９】
2012199625.tif 000011
【図１０】
2012199625.tif 000012